(57)【要約】      （修正有）【課題】取り外し及び装設が容易で、且つ一端が物体に安定的に固定され、他端には携帯装置が固持される固持装置を提供する。【解決手段】台座２、接合ユニット、固着ユニット５を備える。台座は固持壁２１、突合せ継手用壁２２を備える。突合せ継手用壁は孔部があり、その周縁には複数の円周ピッチがある。接合ユニットは接合棒、係合部材を含み、接合棒３１に装設される。係合部材３２の上アーム３３は連接アーム３５に対する一端に少なくとも１つの第一係合ピン３２１を有し、下アーム３４は連接アームに対する一端に複数の第二係合ピン３２２を有する。第一係合ピン、第二係合ピンは前記接合棒の外に露出され、接合棒との間に間隔を保持させ、第一係合ピン、複数の第二係合ピンは対応する複数の円周ピッチを貫通させ、突合せ継手用壁と固持壁２１との間に係着され、接合棒３１が孔部を軸心として枢動する。【選択図】図２
2016211640.tif 000002
【特許請求の範囲】
【請求項１】
相互に間隔を空ける固持壁及び突合せ継手用壁からなり、前記突合せ継手用壁には孔部が設けられ、その周縁からは複数の円周ピッチが外に向けて延出され、前記固持壁は前記突合せ継手用壁に対する一側に第一物体を固持させるための固持部材が設置される台座と、
接合棒及び係合部材で構成され、前記接合棒の一端は外に開放され、その内部は前記係合部材が設けられる中空部であり、且つ相互に間隔を空ける少なくとも１つの第一係合ピン及び少なくとも１つの第二係合ピンを含み、少なくとも１つの前記第一係合ピン及び少なくとも１つの前記第二係合ピンは前記接合棒の外に露出されると共に前記接合棒との間に間隔を保持させ、前記孔部に対応する複数の円周ピッチを貫通させ、且つ前記突合せ継手用壁と前記固持壁との間に係着され、前記台座が前記係合部材を軸心として枢動する接合ユニットと、
前記接合棒の他端に設置され、一側には第二物体を固定させるための固定体が設置される固着ユニットとを備えることを特徴とする、
固持装置。
【請求項２】
前記係合部材は上アームと、下アームと、前記上アーム及び下アームに連接される連接アームとを備え、前記上アームは前記連接アームに対する一端に少なくとも１つの前記第一係合ピンが設けられ、前記下アームは前記連接アームに対する一端に少なくとも１つの前記第二係合ピンが設けられ、前記上アーム及び前記下アームは前記連接アームの中央を軸心として相互に間隔を空け、且つ前記第一係合ピンは前記上アームの前記一端が９０度上に向けて折曲されて延伸されることで形成され、前記下アームの前記一端には、前記下アームの前記一端がそれぞれ９０度下に向けて折曲されて延伸されることで形成される複数の前記第二係合ピンを有し、複数の前記円周ピッチは第一円周ピッチ及び複数の第二円周ピッチを含み、前記係合部材が前記孔部に係合されると、前記第一係合ピンが前記第一円周ピッチに対応して圧接されて前記上アームが下に押圧され、複数の前記第二係合ピンが複数の前記第二円周ピッチに対応して圧接されると、前記下アームが上に押圧され、前記第一係合ピン及び複数の前記第二係合ピンが前記孔部をそれぞれ貫通させると共に前記突合せ継手用壁と前記固持壁との間に係着され、且つ前記係合部材が前記台座の孔部内で回転し、また、前記台座は前記第一円周ピッチに対応する上方箇所に第一ロック解除マークが設けられ、前記接合棒の外表面には第二ロック解除マークが設けられ、前記第一ロック解除マーク及び前記第二ロック解除マークが縦方向の平面で相互に対応すると、前記係合部材が前記台座の孔部から係脱され、且つ前記上アームと下アームとの間には少なくとも１つの補強部材が更に連接され、対応し合う二端を有し、それは少なくとも１つの前記第一係合ピン及び少なくとも１つの前記第二係合ピンにそれぞれ連接され、且つ前記補強部材は少なくとも１つの折曲部を有し、また、前記係合部材は前記接合棒の中空部に係脱可能に装設され、前記接合棒には前記接合棒を貫通させると共に前記中空部に連通される少なくとも１つの係止溝が更に設けられ、前記係合部材は少なくとも１つの前記係止溝に対応する箇所に前記係止溝に係止させるための解放部材が凸設され、前記解放部材が前記係止溝から前記中空部内に向けて押圧されると、前記係合部材の一側が圧迫されて前記係合部材が前記係止溝との係合から脱離し、前記接合棒が退出され、なお、前記固持部材及び前記固着ユニットの固定体はそれぞれ両面接着剤であり、前記固持部材の一側が前記固持壁に粘着され、他側が前記第一物体に粘着され、前記固定体の一側が前記固着ユニットに粘着され、他側が前記第二物体に粘着され、さらには、前記固持部材及び前記固着ユニットの固定体はそれぞれ粘着部材ないしは吸盤であり、もしくは前記固持部材及び前記固定体の何れか一つが前記粘着部材或いは吸盤であり、また、前記第一係合ピン或いは前記第二係合ピンは前記接合棒に対向する一側面に支障部が設けられ、前記突合せ継手用壁は前記固持壁に対向する表面に複数の嵌合部が設けられ、前記支障部は前記台座の回動に従って何れか一つの嵌合部に嵌合され、なお、一側には位置決め溝を有する位置決めフレ−ムを更に備え、前記台座の固持部材は前記固持壁から延出されると共に下に向けて折曲されることで位置決めアームが形成され、前記位置決め溝に挿入されて前記台座及び前記位置決めフレ−ムを結合させ、前記位置決めフレ−ムは定位部に対応する表面が前記第一物体に粘着されることを特徴とする、請求項１記載の固持装置。
【発明の詳細な説明】
【技術分野】
【０００１】
本発明は、取り外し及び装設が容易で、且つ一端が物体に安定的に固定され、他端には携帯装置が固持される固持装置に関する。
【背景技術】
【０００２】
電子携帯装置の急速な発展と普及により、使用者は何時如何なる時でも携帯装置を使用可能になった。前述の携帯装置はスマートフォン、タブレット端末、或いはデジタルフォトフレーム等である。但し、状況によっては使用者が携帯装置を手に持つことが出来ない場合もあり、この場合、固持装置を利用して携帯装置を固定させる必要がある。
【０００３】
また、従来の携帯装置を固定させるための固持装置は一般的には携帯式であり、且つ対応し合う二端を有する。その内の一端は固持端であり携帯装置を固持させるのに用いられ、他端は位置決め端であり、物体に固定され、横棒や卓上や手で持つ部位に固定される。
固持端に携帯装置を固持させる態様は３種類に大きく分かれる。１つ目は、支持軸式挟み爪により固持し、角度が変化する挟み爪により携帯装置を挟持させる。２つ目は、レール式挟持板により固持し、上下に移動する挟持板により携帯装置を固持させる。３つ目は、背面枠により固持し、即ち固定のサイズの背面枠により大きさが符合する携帯装置を固持させる。
【発明の概要】
【発明が解決しようとする課題】
【０００４】
しかしながら、前述した挟み爪式或いは挟持板式固持装置は部材が多く、製造コストが抑制できないばかりか、部材の交換も不便であり、また、固持の操作も複雑であった。背面枠式固持装置は、携帯装置を挿入させて単一方向にしか固持できず、一旦回転すると携帯装置が脱落してしまう。
【０００５】
そこで、本発明者は上記の欠点が改善可能と考え、鋭意検討を重ねた結果、合理的かつ効果的に課題を改善する本発明の提案に到った。
【０００６】
本発明は、このような従来の問題に鑑みてなされたものであり、その目的とするところは、固持装置を提供することを主目的とする。即ち、取り外し及び装設が可能であり、且つ粘着方式により物体及び携帯装置を固持させる。また、高速に装設や取り外しが可能であり、且つ回転定位機能を有する。
【課題を解決するための手段】
【０００７】
上述した課題を解決し、目的を達成するための、請求項１に係る発明は、
相互に間隔を空ける固持壁及び突合せ継手用壁からなり、前記突合せ継手用壁には孔部が設けられ、その周縁からは複数の円周ピッチが外に向けて延出され、前記固持壁は前記突合せ継手用壁に対する一側に第一物体を固持させるための固持部材が設置される台座と、接合棒及び係合部材で構成され、前記接合棒の一端は外に開放され、その内部は前記係合部材が設けられる中空部であり、且つ相互に間隔を空ける少なくとも１つの第一係合ピン及び少なくとも１つの第二係合ピンを含み、少なくとも１つの前記第一係合ピン及び少なくとも１つの前記第二係合ピンは前記接合棒の外に露出されると共に前記接合棒との間に間隔を保持させ、前記孔部に対応する複数の円周ピッチを貫通させ、且つ前記突合せ継手用壁と前記固持壁との間に係着され、前記台座が前記係合部材を軸心として枢動する接合ユニットと、前記接合棒の他端に設置され、且つ前記固着ユニットの一側には物体を固定させるための固定体が設置される固着ユニットとを備えることを特徴とする。
【０００８】
本発明の好ましい実施形態によれば、前記係合部材は上アームと、下アームと、前記上アーム及び下アームに連接される連接アームとを備える。前記上アームは前記連接アームに対する一端に少なくとも１つの前記第一係合ピンが設置され、前記下アームは前記連接アームに対する一端に少なくとも１つの前記第二係合ピンが設置され、前記上アーム及び前記下アームは前記連接アームの中央を軸心として相互に間隔を空ける。
【０００９】
本発明の好ましい実施形態によれば、前記第一係合ピンは前記上アームの前記一端が９０度上に向けて折曲されて延伸されることで形成され、前記下アームの前記一端は前記下アームの前記一端がそれぞれ９０度下に向けて折曲されて延伸されることで形成される複数の前記第二係合ピンを有し、複数の前記円周ピッチは第一円周ピッチ及び複数の第二円周ピッチを備える。前記係合部材が前記孔部に係合されると、前記第一係合ピンが前記第一円周ピッチに対応して圧接されて前記上アームが下に押圧され、複数の前記第二係合ピンが複数の前記第二円周ピッチに対応して圧接されると、前記下アームが上に押圧され、前記第一係合ピン及び複数の前記第二係合ピンが前記孔部をそれぞれ貫通させると共に前記突合せ継手用壁と前記固持壁との間に係着される。
【００１０】
本発明の好ましい実施形態によれば、前記上アームと前記下アームとの間には少なくとも１つの補強部材が更に連接され、前記第一係合ピン及び複数の前記第二係合ピンにそれぞれ連接される対応し合う二端を有し、且つ前記補強部材は少なくとも１つの折曲部を有する。
【００１１】
本発明の他の好ましい実施形態によれば、前記固持装置は位置決めフレ−ムを更に備え、その一側には位置決め溝を有し、前記台座の固持部材は前記固持壁から延出されると共に下に向けて折曲されることで位置決めアームが形成され、前記位置決め溝に挿入されて前記台座及び前記位置決めフレ−ムを結合させ、前記位置決めフレ−ムは前記定位部に対する表面が前記第一物体に粘着される。
【発明の効果】
【００１２】
本発明の固持装置は、相互に係合及び取り外しが可能な係合部材及び台座により、構造が簡単で楽に高速で装設可能であり、両面接着剤の固持部材及び固定体により携帯装置を固定させ、手で持つ必要がなくなり、従来の携帯装置を挟持する際に手に持たなければならないという欠点を有効的に解決させる。また、係合部材が回転して定位することで使用者が自分で携帯装置の角度を調整でき、使用型態の多様な変化を提供する。しかも、従来の固持装置の欠点を解決させる上に、必要な部材を簡素化させ、操作が便利になり、多方向且つ多角度で固持できる固持装置を提供する。
【図面の簡単な説明】
【００１３】
【図１】本発明の第１実施形態による固持装置を示す構成の概念図である。
【図２】図１に示す展開の概念図である。
【図３】本発明の係合部材の外観斜視図である。
【図４】本発明の固持装置を示す部分の構成図である。
【図５】本発明の接合ユニット及び台座の係合作動を示す断面模式図である。
【図６】図５に示す接合ユニット及び台座の係合、位置決め作動を示す断面模式図である。
【図７】本発明の一実施形態に係る固持装置を示す概念図である。
【図８】本発明の他の実施形態に係る固持装置を示す概念図である。
【図９】本発明の固持装置のロック解除を示す概念図である。
【図１０】本発明の係合部材が連接棒から解除する作動の概念図である。
【図１１】本発明の係合部材が連接棒から解除する概念図である。
【図１２】本発明の他の実施形態に係る固持装置を示す外観斜視図である。
【図１３】図１２に示す固持装置を示す展開の概念図である。
【図１４】図１３に示す台座を示す外観傾斜の概念図である。
【図１５】図１３に示す固持装置を示す部分の構成の概念図である。
【図１６】図１５に示す前記台座及び位置決めフレ−ムの突合せ継手を示す概念図である。
【図１７】図１２に示す固持装置を示す具体的な実施形態の概念図である。
【図１８】接合棒の他の実施形態を示す概念図である。
【発明を実施するための形態】
【００１４】
以下に図面を参照して、本発明を実施するための形態について、詳細に説明する。なお、本発明は、以下に説明する実施形態に限定されるものではない。
【００１５】
＜第１実施形態＞
以下、本発明の具体的な実施形態について添付図面に基づき説明する。まず、第１実施形態を図１〜８に基づいて説明する。
本発明の固持装置１は台座２と、接合ユニット３と、固着ユニット５とを備える。台座２は相互に間隔を空ける固持壁２１及び突合せ継手用壁２２を含み、固持壁２１及び突合せ継手用壁２２の周囲は相互に連接される。突合せ継手用壁２２の中央の下よりの箇所には孔部２３が設けられ、その周縁は放射状に外に向けて複数の円周ピッチ２４が延出され、複数の円周ピッチ２４は相互に間隔を空けると共に第一円周ピッチ２４１及び２つの第二円周ピッチ２４２を具備する。第一円周ピッチ２４１は孔部２３の上方に位置され、複数の第二円周ピッチ２４２は孔部２３の下方に位置される。第一円周ピッチ２４１及び各第二円周ピッチ２４２の内歯縁は傾斜する案内面をそれぞれ有し（図示せず）、接合ユニット３が接合する際の動作をよりスムーズにする。
図４によると、第一円周ピッチ２４１及び２つの第二円周ピッチ２４２は共に三角形に近似すると共に二側に弧形を有する輪郭を具備する孔部２３を構成させる。固持壁２１は突合せ継手用壁２２に対する一側に固持部材４が設置され、好ましい本実施形態では、固持部材４は両面接着剤であり、その一側が固持壁２１に粘着され、他側が携帯電話やタブレット端末等の第一物体８に粘着される。
【００１６】
また、接合ユニット３は接合棒３１及び係合部材３２を備え、接合棒３１の一端は外に開放され、その内部は中空部３１０であり、接合棒３１の長さは実際の需要に応じて決定される。係合部材３２は中空部３１０に係脱可能に装設されると共に上アーム３３と、下アーム３４と、上アーム３３と下アーム３４との間に連接される連接アーム３５を含む。連接アーム３５は係合部材３２の後端に位置され、連接アーム３５は断面の中間軸心から１８０度に２つに分割され、各１８０度は上アーム３３及び下アーム３４が相互に間隔を空けるようになる。
上アーム３３は連接アーム３５に対する一端に第一係合ピン３２１を有し、下アーム３４は連接アーム３５に対する一端に２つの第二係合ピン３２２を有する。第一係合ピン３２１及び前記２つの第二係合ピン３２２は接合棒３１の外に露出され、且つ接合棒３１との間に間隔ｔを保持させる。具体的には、第一係合ピン３２１は上アーム３３の前記一端が上に向けて約９０度折曲されて延伸されることで形成され、前記２つの第二係合ピン３２２は下アーム３４の前記一端がそれぞれ下に向けて約９０度折曲されて延伸されることで形成される。
本実施形態では、間隔ｔの広さは突合せ継手用壁２２の厚さより大きく、但し突合せ継手用壁２２の厚さと第一係合ピン３２１の厚さの総計より小さい。このほか、接合棒３１の底部は複数の第二係合ピン３２２に近接する箇所に係止溝３１１が設けられ、接合棒３１の前記底部を貫通させると共に中空部３１０に連通され、且つ下アーム３４は係止溝３１１に対応する箇所に解放部材３４１が下に向けて凸設され、係止溝３１１に係止され、係合部材３２を接合棒３１内に定位させる。
解放部材３４１は係止溝３１１から中空部３１０内に向けて前記下アーム３４が係止する係止溝３１１から脱離されるまで持続的に押圧され、接合棒内３１の係合部材３２が接合棒３１から退出される（図１０及び図１１参照）。これにより、係合部材３２が損壊した際に交換できる。また、解放部材３４１は上に向けて傾斜する傾斜面３４２を更に有し、解放部材３４１が接合棒３１の開口から中空部３１０に挿入される。他の具体的な実施形態では、係合部材３２が接合棒３１の中空部３１０に一体成形され（図示せず）、これにより製造及び装設工程を簡素化させる。
【００１７】
また、上アーム３３と下アーム３４との間には補強部材３７が更に連接され、対応し合う二端を有し、第一係合ピン３２１及び前記二第二係合ピン３２２にそれぞれ連接される。また、補強部材３７は少なくとも１つの折曲部３７１を有し、補強部材３７には逆位のＶ字形状が形成される（但しこれに限定されない）。
前記補強部材３７により上アーム３３及び下アーム３４に形成されるアーム構造が圧縮された際の構造強度が補強され、同時に拡大縮小効果を提供し、上アーム３３及び下アーム３４が繰り返される押圧により変形して材料が疲労するのを防止させ、機構の解舒性が与える弾力を増強させる。
【００１８】
上述したように、係合部材３２が孔部２３に係合されると、接合棒３１は第一係合ピン３２１を下に向けて、第一係合ピン３２１から離れる一端を上に向けて傾斜させ、第一係合ピン３２１は第一円周ピッチ２４１に対応して圧接され、上アーム３３が下に押圧され、前記二第二係合ピン３２２は複数の第二円周ピッチ２４２に対応して係入され、下アーム３４が上に押圧され、第一係合ピン３２１及び前記二第二係合ピン３２２が孔部２３をそれぞれ貫通させると共に突合せ継手用壁２２と固持壁２１との間に係着される。これにより、接合棒３１は台座２に安定的に連接される。この際、固持壁２１の一側の固持部材４（即ち、両面粘着テープ）は剥離紙を剥離させ、第一物体８（即ち、携帯電話）の表面に粘着され、固着ユニット５の一側には固定体５１が設置される。これは同様に両面接着剤であり、壁面や固定面等の第二物体７に粘着される（図７参照如）。従って、使用者は前記第一物体８を持たずとも、携帯電話を使用したりディスプレイを見たりできる。
同様に、接合棒３１を取り外す場合、接合棒３１を上に向けて押すと、係合部材３２の上アーム３３がやや圧迫され、接合棒３１が傾斜角度をつけて第一係合部材３２１及び複数の第二係合部材３２２を退出させて接合棒３１が取り外される。或いは、接合棒３１を下に向けて押すと、係合部材３２の下アーム３４が圧迫され、同様の方式で退出させて取り外す。
他の実施形態では、孔部２３の複数の円周ピッチ２４に合致する前記案内面の設計により、第一係合部材３２１及び複数の第二係合部材３２２には対応する案内角構造が設けられ（図示せず）、係合部材３２が水平方向に孔部２３に直接係合され、同時に上アーム３３及び下アーム３４が中空部３１０に向けて当接されて孔部２３を貫通させて嵌合されて定位する。また他の具体的な実施形態では、物体を解放部材３４１に圧着させ、下アーム３４が圧迫されて、上アーム３３と下アーム３４との間の空間を減縮させ、退出させて取り外す。
【００１９】
以上が両面接着剤による固持部材４及び固定体５１の具体的に実施形態である。他の応用では、固持部材４及び固定体５１はそれぞれ粘着部材（即ち、面ファスナー）、ねじ、磁石、或いは吸盤であり（図１２参照）、或いは固持部材４及び固定体５１の何れか一つが粘着部材か吸盤である。こうして、同様に物体を付着させる効果を達成させる。
このほか、両面接着剤は具体的には固持壁２１及び固着ユニット５がそれぞれ板体状で実施され、一般的な第一物体８及び第二物体７の表面に対応して粘着される。固持部材４及び固定体５１は完全に平面な板体状であるか、或いは、固持部材４及び固着ユニット５に単一ないしは若干の貫通孔がそれぞれ設けられる。これにより、材料の使用量を減らし、製造コストを低減させつつも、固持部材４及び固定体５１の粘着能力に影響を及ぼさない。
【００２０】
この好ましい実施形態では、固持部材４は第二物体７（即ち、壁面）に粘着されて固持させ、固着ユニット５の固定体５１は第一物体８（即ち、携帯電話）に粘着されて固定させる。これにより、同様に携帯電話を手に持つ必要がなくなり、且つ固着ユニット５は孔部２３を軸心として回転する（図８参照）。
【００２１】
上述のように、接合棒３１が台座２に連接された後、第一係合ピン３２１及び複数の第二係合ピン３２２が接合棒３１との間に前記間隔ｔを保持させ、台座２が孔部２３により係合部材３２に対して回転し、或いは接合棒３１が孔部２３を軸心として回転し、且つ内部の係合部材３２を連動させて回転させる。特に、第一係合ピン３２１或いは複数の第二係合ピン３２２は接合棒３１に対向する一側面に支障部３２０が設けられ、接合棒３１の方向に向けて突出され、突合せ継手用壁２２は固持壁２１に対向する表面に複数の嵌合部２２０が設けられ、それぞれ内に向けて陥没する。
前記支障部３２０は台座２或いは接合棒３１の回転に従って複数の嵌合部２２０の内の何れか一つに定位され、回転定位効果を達成させ、且つ嵌合部２２０及び支障部３２０が進入して定位するのと同時に使用者が定位の手応えと音を感じることができる。なお、固着ユニット５は接合棒３１の一端に一体成形され、且つ板体状であり、接合棒３１の回転に追随して回転する。これにより、使用者が固着ユニット５か台座２を任意で回転させることで角度を丁度いい位置まで調整して第一物体８を使用できる。特筆すべきは、本発明による孔部２３の輪郭の外形は図４に示すものに限られず、他の不規則な輪郭外形でも係合部材３２に係合作用を持たせて実用可能な点である。
【００２２】
前述の接合棒３１の回転定位は、回転機能を提供する以外、接合棒３１が１つの角度でしか取り外せないように制限させる。詳細には、係合部材３２が接合棒３１の回転に追随して孔部２３内で回転し、台座２は第一円周ピッチ２４１の上方の対応する箇所に第一ロック解除マーク２２１が設けられ（図４参照）、接合棒３１の外表面に第二ロック解除マーク３１２が設けられる。接合棒３１が第一ロック解除マーク２２１及び第二ロック解除マーク３１２が縦方向の平面で相互に対応するまで回転すると、接合棒３１が台座２の孔部２３から係脱される（図６参照）。
【００２３】
＜第２実施形態＞
本発明の第２実施形態の構成を図１２から図１７に示す。
この好適な実施の形態において、固持装置１は少なくとも３つの部材で構成され、位置決め溝６１を有する位置決めフレ−ム６を更に備える。台座２の固持部材４が固持壁２１から延出されると共に下に向けて折曲されることで位置決めアーム４１が形成され、位置決め溝６１に挿入されて台座２及び位置決めフレ−ム６を結合させ、位置決めフレ−ム６は定位部に対する表面が第一物体８或いは第二物体７に粘着される。他の構造は前述の実施形態と同じであるため、再述は省略する。
本実施形態によると、台座２は掛合方式で位置決めフレ−ム６に掛合され、異なる形態の応用を提供し、更に高速で便利に全ての接合ユニット３及び台座２を取り外せるようにする。なお、他の実施形態では、位置決めフレーム６は固着ユニット５の側面に設置され（図示せず）、且つ前記位置決め溝６１が設けられる。
また、接合棒３１の固着ユニット５に対向する一端には前記位置決めアーム４１が設置され（図示せず）、延伸されると共に前記接合棒３１の前記端から折曲し、接合棒６１が掛合方式で固着ユニット５の一側面の位置決め溝６１に挿入される。また、固着ユニット５の他側面は第二物体７に粘着され（即ち、壁面）、台座２は第一物体８に粘着される（即ち、携帯装置）。
【００２４】
続いて、接合棒３１の対応する二側にはさらにレール装置３８がそれぞれ一体で形成され、通路３８１及び制限部３８２を備える。通路３８１の二端が外に開放され、制限部３８２は接合棒３１から延出されて折曲されることで形成される（図１８参照）。レール装置３８は接合ユニット３に係合部材３２以外にも、台座２との接合方式を提供する。具体的には、台座２にはレール装置３８に対応する接合ユニットが設置され（図示せず）、通路３８１は前記接合ユニットに滑動可能に設置され、且つ制限部３８２により係合して接合させる目的を達成させる。
【００２５】
結論として、本発明に係る固持装置１は相互に接合及び取り外しが可能な係合部材３２及び台座２により、構造が簡単になり且つ高速に便利に接合可能にし、両面接着剤の固持部材４及び固定体５１により第一物体８及び第二物体７を固定させることで手に持つ必要がなくなり、従来の携帯装置を挟持する際に手で持たなければならないという欠点を有効的に解決させる。また、係合部材３２の回転定位により使用者が第一物体８の角度を自分で調整でき、使用型態を多様に変化させることが可能になる。
【００２６】
上述の実施形態は本発明の技術思想及び特徴を説明するためのものにすぎず、当前記技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２７】
１      固持装置
２      台座
２１    固持壁
２２    突合せ継手用壁
２２０  嵌合部
２２１  第一ロック解除マーク
２３    孔部
２４    円周ピッチ
２４１  第一円周ピッチ
２４２  第二円周ピッチ
３      接合ユニット
３１    接合棒
３１０  中空部
３１１  係止溝
３１２  第二ロック解除マーク
３２    係合部材
３２０  支障部
３２１  第一係合ピン
３２２  第二係合ピン
３３    上アーム
３４    下アーム
３４１  解放部材
３４２  傾斜面
３５    連接アーム
３７    補強部材
３７１  折曲部
３８    レール装置
３８１  通路
３８２  制限部
４      固持部材
４１    位置決めアーム
５      固着ユニット
５１    固定体
６      位置決めフレ−ム
６１    位置決め溝
７      第二物体
８      第一物体
ｔ      間隔
【図１】
2016211640.tif 000003
【図２】
2016211640.tif 000004
【図３】
2016211640.tif 000005
【図４】
2016211640.tif 000006
【図５】
2016211640.tif 000007
【図６】
2016211640.tif 000008
【図７】
2016211640.tif 000009
【図８】
2016211640.tif 000010
【図９】
2016211640.tif 000011
【図１０】
2016211640.tif 000012
【図１１】
2016211640.tif 000013
【図１２】
2016211640.tif 000014
【図１３】
2016211640.tif 000015
【図１４】
2016211640.tif 000016
【図１５】
2016211640.tif 000017
【図１６】
2016211640.tif 000018
【図１７】
2016211640.tif 000019
【図１８】
2016211640.tif 000020
【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
相互に間隔を空ける固持壁及び突合せ継手用壁からなり、前記突合せ継手用壁には孔部が設けられ、その周縁からは複数の円周ピッチが外に向けて延出され、前記固持壁は前記突合せ継手用壁に対する一側に第一物体を固持させるための固持部材が設置される台座と、
接合棒及び係合部材で構成され、前記接合棒の一端は外に開放され、その内部は前記係合部材が設けられる中空部であり、且つ相互に間隔を空ける少なくとも１つの第一係合ピン及び少なくとも１つの第二係合ピンを含み、少なくとも１つの前記第一係合ピン及び少なくとも１つの前記第二係合ピンは前記接合棒の外に露出されると共に前記接合棒との間に間隔を保持させ、前記孔部に対応する複数の円周ピッチを貫通させ、且つ前記突合せ継手用壁と前記固持壁との間に係着され、前記台座が前記係合部材を軸心として枢動する接合ユニットと、
前記接合棒の他端に設置され、一側には第二物体を固定させるための固定体が設置される固着ユニットとを備え、
前記係合部材は上アームと、下アームと、前記上アーム及び下アームに連接される連接アームとを備え、
前記上アームは前記連接アームに対する一端に１つの前記第一係合ピンが設けられ、
前記下アームは前記連接アームに対する一端に複数の前記第二係合ピンが設けられ、
前記上アーム及び前記下アームは前記連接アームの中央を軸心として相互に間隔を空け、
前記第一係合ピンは前記上アームの前記一端が９０度上に向けて折曲されて延伸されることで形成され、
前記複数の第二係合ピンは前記下アームの前記一端がそれぞれ９０度下に向けて折曲されて延伸されることで形成され、
複数の前記円周ピッチは第一円周ピッチ及び複数の第二円周ピッチを含み、
前記係合部材が前記孔部に係合されると、前記第一係合ピンが前記第一円周ピッチに対応して圧接されて前記上アームが下に押圧され、複数の前記第二係合ピンが複数の前記第二円周ピッチに対応して圧接されて前記下アームが上に押圧され、
前記第一係合ピン及び複数の前記第二係合ピンが前記孔部をそれぞれ貫通すると共に前記突合せ継手用壁と前記固持壁との間に係着され、
前記係合部材が前記台座の孔部内で回転可能であり、
前記台座は前記第一円周ピッチに対応する上方箇所に第一ロック解除マークが設けられ、
前記接合棒の外表面には第二ロック解除マークが設けられ、
前記第一ロック解除マーク及び前記第二ロック解除マークが縦方向の平面で相互に対応すると、前記係合部材が前記台座の孔部から係脱され、
前記上アームと下アームとの間には少なくとも１つの補強部材が更に連接され、対応し合う二端を有し、
前記係合部材は少なくとも１つの前記第一係合ピン及び少なくとも１つの前記第二係合ピンにそれぞれ連接され、
前記補強部材は少なくとも１つの折曲部を有し、
前記係合部材は前記接合棒の中空部に係脱可能に装設され、
前記接合棒には前記接合棒を貫通させると共に前記中空部に連通される少なくとも１つの係止溝が更に設けられ、
前記係合部材は少なくとも１つの前記係止溝に対応する箇所に前記係止溝に係止させるための解放部材が凸設され、
前記解放部材が前記係止溝から前記中空部内に向けて押圧されると、前記係合部材の一側が圧迫されて前記係合部材が前記係止溝との係合から脱離し、前記接合棒が退出され、
前記固持部材及び前記固着ユニットの固定体はそれぞれ両面接着剤、粘着部材、または吸盤のいずれか１つであり、
前記固持部材の一側が前記固持壁に付着され、他側が前記第一物体に付着され、
前記固定体の一側が前記固着ユニットに付着され、他側が前記第二物体に付着され、
前記第一係合ピン或いは前記第二係合ピンは前記接合棒に対向する一側面に支障部が設けられ、
前記突合せ継手用壁は前記固持壁に対向する表面に複数の嵌合部が設けられ、
前記支障部は前記台座の回動に従って何れか一つの嵌合部に嵌合されることを特徴とする、
固持装置。
【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
相互に間隔を空ける固持壁及び突合せ継手用壁からなり、前記突合せ継手用壁には孔部が設けられ、その周縁からは複数の円周ピッチが外に向けて延出され、前記固持壁は前記突合せ継手用壁に対する一側に第一物体を固持させるための固持部材が設置される台座と、
接合棒及び係合部材で構成され、前記接合棒の一端は外に開放され、その内部は前記係合部材が設けられる中空部であり、且つ相互に間隔を空ける少なくとも１つの第一係合ピン及び少なくとも１つの第二係合ピンを含み、少なくとも１つの前記第一係合ピン及び少なくとも１つの前記第二係合ピンは前記接合棒の外に露出されると共に前記接合棒との間に間隔を保持させ、前記孔部に対応する複数の円周ピッチを貫通させ、且つ前記突合せ継手用壁と前記固持壁との間に係着され、前記台座が前記係合部材を軸心として枢動する接合ユニットと、
前記接合棒の他端に設置され、一側には第二物体を固定させるための固定体が設置される固着ユニットとを備え、
前記係合部材は上アームと、下アームと、前記上アーム及び下アームに連接される連接アームとを備え、
前記上アームは前記連接アームに対する一端に１つの前記第一係合ピンが設けられ、
前記下アームは前記連接アームに対する一端に複数の前記第二係合ピンが設けられ、
前記上アーム及び前記下アームは前記連接アームの中央を軸心として相互に間隔を空け、
前記第一係合ピンは前記上アームの前記一端が９０度上に向けて折曲されて延伸されることで形成され、
前記複数の第二係合ピンは前記下アームの前記一端がそれぞれ９０度下に向けて折曲されて延伸されることで形成され、
複数の前記円周ピッチは第一円周ピッチ及び複数の第二円周ピッチを含み、
前記係合部材が前記孔部に係合されると、前記第一係合ピンが前記第一円周ピッチに対応して圧接されて前記上アームが下に押圧され、複数の前記第二係合ピンが複数の前記第二円周ピッチに対応して圧接されて前記下アームが上に押圧され、
前記第一係合ピン及び複数の前記第二係合ピンが前記孔部をそれぞれ貫通すると共に前記突合せ継手用壁と前記固持壁との間に係着され、
前記係合部材が前記台座の孔部内で回転可能であり、
前記台座は前記第一円周ピッチに対応する上方箇所に第一ロック解除マークが設けられ、
前記接合棒の外表面には第二ロック解除マークが設けられ、
前記第一ロック解除マーク及び前記第二ロック解除マークが縦方向の平面で相互に対応すると、前記係合部材が前記台座の孔部から係脱され、
前記上アームと下アームとの間には少なくとも１つの補強部材が更に連接され、対応し合う二端を有し、
前記補強部材は少なくとも１つの前記第一係合ピン及び少なくとも１つの前記第二係合ピンにそれぞれ連接され、
前記補強部材は少なくとも１つの折曲部を有し、
前記係合部材は前記接合棒の中空部に係脱可能に装設され、
前記接合棒には前記接合棒を貫通させると共に前記中空部に連通される少なくとも１つの係止溝が更に設けられ、
前記係合部材は少なくとも１つの前記係止溝に対応する箇所に前記係止溝に係止させるための解放部材が凸設され、
前記解放部材が前記係止溝から前記中空部内に向けて押圧されると、前記係合部材の一側が圧迫されて前記係合部材が前記係止溝との係合から脱離し、前記接合棒が退出され、
前記固持部材及び前記固着ユニットの固定体はそれぞれ両面接着剤、粘着部材、または吸盤のいずれか１つであり、
前記固持部材の一側が前記固持壁に付着され、他側が前記第一物体に付着され、
前記固定体の一側が前記固着ユニットに付着され、他側が前記第二物体に付着され、
前記第一係合ピン或いは前記第二係合ピンは前記接合棒に対向する一側面に支障部が設けられ、
前記突合せ継手用壁は前記固持壁に対向する表面に複数の嵌合部が設けられ、
前記支障部は前記台座の回動に従って何れか一つの嵌合部に嵌合されることを特徴とする、
固持装置。